(57)【要約】【課題】既設の自動販売機に着脱可能とし、自動販売機の交換をせずとも自動販売機に募金機能を付加し、また、必要に応じて自動販売機から募金機能のみを撤去することができる募金装置を提供する。【解決手段】既設の自動販売機に着脱可能な筐体と、既設の自動販売機の制御部及び貨幣選別部に電気的に接続し、前記貨幣選別部を前記自動販売機とで共有させる接続部と、募金額を選択する募金額選択部と、前記貨幣選別部に前記募金額選択部で設定されている金額以上の貨幣が投入されたとき前記募金額選択部を操作可能とし、前記募金額選択部が操作されたとき操作された前記募金額選択部に対応した金額を前記貨幣選別部に徴収させる金銭処理部と、募金された募金額を集計し記憶する集計部と、を備えることを特徴とする。【選択図】図１
2015005073.tif 000002
【特許請求の範囲】
【請求項１】
既設の自動販売機に着脱可能な筐体と、
既設の自動販売機の制御部及び貨幣選別部に電気的に接続し、前記貨幣選別部を前記自動販売機と共有させる接続部と、
募金額を選択する募金額選択部と、
前記貨幣選別部に前記募金額選択部で設定されている金額以上の貨幣が投入されたとき前記募金額選択部を操作可能とし、前記募金額選択部が操作されたとき操作された前記募金額選択部に対応した金額を募金額として前記貨幣選別部に徴収させる金銭処理部と、
募金された前記募金額を集計し記憶する集計部と、を備えることを特徴とする募金装置。
【請求項２】
前記筐体が、前記自動販売機の貨幣選別部設置用スペースに着脱可能に構成されていることを特徴とする請求項１に記載の募金装置。
【請求項３】
前記筐体が、前記自動販売機の前面扉の広告スペースに着脱可能に構成されていることを特徴とする請求項１に記載の募金装置。
【請求項４】
前記募金額選択部に、前記貨幣選別部に投入された貨幣全て、又は前記自動販売機で商品を購入した後の釣銭全てを一括で選択できる、全額ボタンを備えることを特徴とする請求項１ないし３のいずれか１項に記載の募金装置。
【請求項５】
前記募金額選択部の操作によりなされた募金の領収書を発行する領収書発行部を備えることを特徴とする請求項１ないし４のいずれか１項に記載の募金装置。
【請求項６】
複数の募金先の中から所望の募金先を選択できる募金先選択部を備え、
前記集計部は、募金先毎の募金額を集計し記憶することを特徴とする請求項１ないし５のいずれか１項に記載の募金装置。
【発明の詳細な説明】
【技術分野】
【０００１】
本発明は、既設の自動販売機に着脱可能とした募金装置に関する。
【背景技術】
【０００２】
従来、異種商品の併売を行う自動販売機として、特開昭６３−２２９５９６号公報（特許文献１）に、自動販売機の前面扉に、自動販売機の商品とは別の商品を販売する販売装置ユニットを着脱可能に設けた自動販売機が開示されている。
【０００３】
また、自動販売機において商品を購入した後の釣銭を募金するため、特開２００２−８３３４４号公報（特許文献２）に、商品等を購入するための支払金を入金するための入金手段と、入金された支払金から商品代金を差し引きして釣銭金額を算出する算出手段と、算出手段により算出された釣銭金額を所定の募金先へ送金する送金手段を備えた、自動販売機に内蔵された募金装置、又は募金装置付の自動販売機が開示されている。
【０００４】
また、特開２００８−２７２９７号公報（特許文献３）に、自動販売機の商品選択ボタンを募金用ボタンとし、該募金用ボタンを架空のコラムに関連付けて、募金用ボタンが押されると架空の売り上げを計上することで募金をすることができる自動販売機が開示されている。
【先行技術文献】
【特許文献】
【０００５】
【特許文献１】特開昭６３−２２９５９６号公報
【特許文献２】特開２００２−８３３４４号公報
【特許文献３】特開２００８−２７２９７号公報
【発明の概要】
【発明が解決しようとする課題】
【０００６】
しかし、特許文献１に開示されている自動販売機では、販売装置ユニットと自動販売機の電気的な接続に関して、具体的な開示がなされておらず、係る場合、自動販売機のハードウエア及び制御プログラムが、販売装置ユニットが接続されることを前提として構成されている必要があり、既設の自動販売機にそのまま装着することは困難であるという課題があった。
【０００７】
また、特許文献２に開示されている装置又は自動販売機では、自動販売機の製造段階から募金装置が組み込まれる構成であり、既設の自動販売機に募金機能を付加することができず、募金機能を付加するときは自動販売機ごと交換する必要があった。また、募金装置付の自動販売機を設置した後、募金の集まりが悪い等の理由で募金装置を撤去したいときも、自動販売機ごと交換する必要があった。
【０００８】
また、特許文献３に開示されている自動販売機では、商品選択ボタンを募金用ボタンとするため、商品の種類が少なくなってしまうという課題があった。さらに、架空のコラムを設定するためには、自動販売機に架空のコラムを設定するための制御プログラムが必要であるが、当該制御プログラムは自動販売機の製造時に組み込まれるものであり、自動販売機の商品補充や集金等を行う自販機管理者が、既設の自動販売機に当該制御プログラムを組み込むことは困難であった。
【０００９】
本発明は、上記の点に鑑みなされたもので、既設の自動販売機に着脱可能とし、自動販売機の交換をせずとも自動販売機に募金機能を付加し、また、必要に応じて自動販売機から募金機能のみを撤去することができる募金装置を提供することを目的とする。
【課題を解決するための手段】
【００１０】
本発明の募金装置は、
既設の自動販売機に着脱可能な筐体と、
既設の自動販売機の制御部及び貨幣選別部に電気的に接続し、前記貨幣選別部を前記自動販売機と共有させる接続部と、
募金額を選択する募金額選択部と、
前記貨幣選別部に前記募金額選択部で設定されている金額以上の貨幣が投入されたとき前記募金額選択部を操作可能とし、前記募金額選択部が操作されたとき操作された前記募金額選択部に対応した金額を募金額として前記貨幣選別部に徴収させる金銭処理部と、
募金された前記募金額を集計し記憶する集計部と、を備えることを特徴とする。
【００１１】
本発明の募金装置によれば、既設の自動販売機に着脱可能な筐体を備えているため、自動販売機の交換をせずとも自動販売機に募金装置を付加し、また、募金装置のみを撤去することができる。ここで、着脱可能とは、自動販売機の商品補充や集金等を行う自販機管理者等が、自動販売機の筐体にネジ、両面テープ、磁石等を用いて、その場で着脱できることを意図する。また、既設の自動販売機の制御部及び貨幣選別部に電気的に接続し、貨幣選別部を自動販売機と募金装置とで共有させる接続部を備えているため、募金装置に貨幣選別部を設ける必要がなく、募金装置の構成を簡素化することができる。
【００１２】
また、募金額を選択する募金額選択部を備えているため、募金者の所望する金額を選択することができる。また、貨幣選別部に募金額選択部で設定されている金額以上の貨幣が投入されたとき募金額選択部を操作可能とし、募金額選択部が操作されたとき操作された募金額選択部に対応した金額を募金額として前記貨幣選別部に徴収させる金銭処理部を備えているため、上記同様に、募金装置に貨幣選別部を設ける必要がなく、募金装置の構成を簡素化することができる。また、募金された募金額を集計し記憶する集計部を備えるため、貨幣選別部を自動販売機と共有して、貨幣選別部に収納された貨幣が、商品の売上金と募金が混在した状態であっても、両者を区別することができる。
【００１３】
本発明の募金装置の好ましい例は、
前記筐体が、前記自動販売機の貨幣選別部設置用スペースに着脱可能に構成されていることを特徴とする。
【００１４】
本発明の募金装置の好ましい例は、
前記筐体が、前記自動販売機の前面扉の広告スペースに着脱可能に構成されていることを特徴とする。
【００１５】
本発明の募金装置の好ましい例によれば、筐体が、自動販売機の貨幣選別部設置用スペース、又は前面扉の広告スペースに着脱可能に構成されているため、自動販売機の美観を損ねることがなくなるとともに、募金装置の着脱も容易に行うことができる。なお、係る場合、募金装置は自動販売機の前面扉の内側に設置されるため、筐体は、募金装置の周囲全てを覆う必要がなく、募金装置の機能に支障が生じない範囲でその一部を省略することができる。
【００１６】
本発明の募金装置の好ましい例は、
前記募金額選択部に、前記貨幣選別部に投入された貨幣全て、又は前記自動販売機で商品を購入した後の釣銭全てを一括で選択できる、全額ボタンを備えることを特徴とする。
【００１７】
本発明の募金装置の好ましい例によれば、前記募金額選択部に、前記貨幣選別部に投入された金額全て、又は前記自動販売機で商品を購入した後の釣銭全てを一括で選択できる全額ボタンを備えるため、例えば、８０円の釣銭全てを募金する様なときでも、１回のボタン操作で済ませることができ、募金者の操作負担を低減させることができる。
【００１８】
本発明の募金装置の好ましい例は、
前記募金額選択部の操作によりなされた募金の領収書を発行する領収書発行部を備えることを特徴とする。
【００１９】
本発明の募金装置の好ましい例によれば、前記募金額選択部の操作によりなされた募金の領収書を発行する領収書発行部を備えるため、募金者が比較的高額の募金をし易くなる。
【００２０】
本発明の募金装置の好ましい例は、
複数の募金先の中から所望の募金先を選択できる募金先選択部を備え、
前記集計部は、募金先毎の募金額を集計し記憶することを特徴とする。
【００２１】
本発明の募金装置の好ましい例によれば、募金先を選択できる募金先選択部を備えているため、募金者が希望する募金先へ募金することができる。また、集計部は、募金先毎の募金額を集計し記憶するため、貨幣を回収したあとで、それぞれの募金先の金額がいくらであるかがわかり、募金の仕分け作業の工数を低減させることができる。
【発明の効果】
【００２２】
上述したように、本発明の募金装置によれば、既設の自動販売機に着脱可能とし、自動販売機の交換をせずとも自動販売機に募金装置を付加し、また、必要に応じて自動販売機から募金装置のみを撤去することができる。
【図面の簡単な説明】
【００２３】
【図１】本発明の第１実施形態に係る募金装置が装着された自動販売機を示す図である。
【図２】図１の募金装置の拡大図である。
【図３】募金装置と既設の自動販売機の構成を示すブロック図である。
【図４】接続部を示した図である。
【図５】本発明の第２実施形態に係る募金装置を示す図である。
【図６】既設の自動販売機の動作フローを示す図である。
【図７】募金装置の動作フローを示す図である。
【発明を実施するための形態】
【００２４】
以下、本発明の募金装置の実施の形態について、添付図面を参照して詳細に説明する。
【００２５】
［第１実施形態］
図１は、本発明の好適な一実施形態に係る募金装置が装着された自動販売機を示す図、図２は、募金装置の前面の拡大図、図３は、募金装置と募金装置が装着される自動販売機の構成を示す機能ブロック図、図４は、既設の自動販売機と本実施形態の接続部との接続を示した図である。
【００２６】
先ず、図１を参照して、自動販売機４０の外観について説明する。自動販売機４０の前面には、本実施形態の募金装置１０が装着される広告スペース４２、商品展示室４３、商品展示室４３に展示される商品見本４４、各商品の価格表示４５、商品選択部としての複数の商品選択ボタン７２ａ、硬貨を投入する硬貨入金口６１ａ、紙幣を挿入する紙幣入金口６２ａ、入金された金額や釣銭等を表示する金額表示部７１、釣銭等を返却させる返却レバー６３ａ、釣銭等が返却される返金口６３ｂ、商品が搬出される搬出口４６、外部機器と情報の送受信を行う通信部７６、盲蓋６４等が備えられる。また、自動販売機４０の内部には、商品の冷却加温をする冷凍加温機構、商品を保管する複数のコラム、商品の販売時に商品を搬出口４６に搬出する搬出ユニット等が備えられている。
【００２７】
次に、図３を参照して、自動販売機４０の構成と機能を説明する。自動販売機４０は、自動販売機の制御部としての販売制御部５１、貨幣選別部６０、金額表示部７１、商品選択部７２、リモコン７３、冷却加温機構７４、搬出ユニット７５、通信部７６を備える。なお、この図では募金装置１０が装着されており、販売制御部５１及び貨幣選別部６０は、募金装置１０の接続部２０に接続されているが、募金装置１０が装着されていない状態では、破線で示すように販売制御部５１と貨幣選別部６０は直接接続される。
【００２８】
貨幣選別部６０は、硬貨選別部６１、紙幣選別部６２、釣銭機構６３を備え、硬貨や紙幣が投入されると、それらの種別を識別し、投入された金額を電気的な信号で、接続部２０を介して販売制御部５１に送信する。そして、商品が販売された後は、販売制御部５１から接続部２０を介しての命令に応じて、販売した金額を徴収し、必要に応じて釣銭を返却する。
【００２９】
販売制御部５１は、ＣＰＵ及び制御プログラム等から実現されるもので、自動販売機４０の動作に必要な各種処理を単独で、又は接続された他の機器と協働して行う。また、販売制御部５１は、さらにその内部に金銭処理部５２、集計部５３、メモリ５４を備える。
【００３０】
金銭処理部５２は、貨幣選別部６０から接続部２０を介して貨幣が投入された電気的な信号を受信すると、投入された金額と商品の価格とを比較する。そして、投入された金額が商品の価格以上であるときは、商品選択部７２を構成する複数の商品選択ボタン７２ａを点灯させる等して、商品の購入が可能なことを購入者に知らせ、商品の購入を促す。そして、商品が販売された後は、接続部２０を介して貨幣選別部６０に販売した金額を徴収させる。
【００３１】
集計部５３は、商品毎の売上高等を集計し、メモリ５４と協働して記憶する。また、メモリ５４は、半導体記憶装置等からなり、制御プログラム、各種設定された商品の価格、及び自動販売機４０の動作に必要なその他のデータを記憶する。
【００３２】
金額表示部７１は、複数の７セグメントＬＥＤディスプレイを備え、貨幣選別部６０に投入された貨幣の金額、又は釣銭を表示する。
【００３３】
商品選択部７２は、商品の種類毎に設けられた複数の商品選択ボタン７２ａを備え、購入者が所望の商品選択ボタン７２ａを操作することで、当該商品が選択されたことを販売制御部５１に知らせ、当該商品を販売する。また、既に述べたように、商品選択ボタン７２ａに内蔵されたランプを点灯することで商品が販売可能であることを購入者に知らせ、また、商品が売り切れのときは、売り切れランプを点灯し、その旨を購入者に知らせる。
【００３４】
リモコン７３は、販売制御部５１を介して商品の価格、商品の保管温度等の自動販売機４０に係る各種の設定を行うとともに、冷却加温機構７４、搬出ユニット７５、貨幣選別部６０等の各部の手動操作を行うことができる。
【００３５】
冷却加温機構７４は、冷凍機、加温機、温度センサ等を備え、販売制御部５１から制御されることにより、コラムに保管された商品を設定された温度に保つ。
【００３６】
搬出ユニット７５は、貨幣選別部６０に貨幣が投入された後、商品選択部７２が操作されたとき、すなわち、商品が販売されたときに、該当する商品が保管されているコラムから、必要な数（通常は１本）の商品を、搬出口４６に搬出する。
【００３７】
通信部７６は、メモリ５４に記憶された売上金額等の販売情報等のデータを、赤外線通信等で自動販売機４０の自販機管理者等が操作する携帯端末と送受信する。
【００３８】
次に、図１及び図２を参照して、本実施形態の募金装置１０の外観を説明する。図１に示すように、募金装置１０は、飲料等を販売する自動販売機４０の前面扉４１の広告スペース４２に装着されている。この広告スペース４２には、通常、５〜１０ｃｍ程度の奥行きを有する空間があり、該空間に広告パネル、照明装置等が設けられている。募金装置１０は、これらの広告パネル、照明装置等を撤去した後の空間に装着されるものである。装着する際の固定方法としては、広告パネルや照明装置等が固定されていたブラケット等を利用し、ボルト、ナット等を用いて固定することができる。
【００３９】
なお、広告スペース４２の寸法は、自動販売機４０の種類により異なる場合があるが、募金装置１０を、広告スペース４２が小さい自動販売機用に製作しておき、広告スペース４２が大きい自動販売機には、募金装置１０の周囲にスペーサ等を設けることで、様々な自動販売機に対応させることができる。
【００４０】
また、図２に示すように、募金装置１０の前面部は、募金額等を表示する表示部２１、音声データ等を出力する音声出力部としてのスピーカ２２ａ、募金額を選択する募金額選択部としての募金額選択ボタン２３ａ、募金先を選択する募金先選択部としての募金先選択ボタン２４ａ、募金するか否かを最終的に確認する募金確認部としての決定ボタン２５ａ及びキャンセルボタン２５ｂ、領収書を発行する領収書発行部としての領収書発行ボタン２６ａ及び領収書発行口２６ｂ、募金額先毎の募金額等を自動販売機の自販機管理者等が操作する携帯端末と送受信する通信部２７を備える。
【００４１】
なお、本実施形態の募金装置１０では、自動販売機４０の前面扉４１の広告スペース４２に埋設させ、前面部のみが露出されているが、例えば、募金装置１０に箱状の筐体を採用し、自動販売機４０の前面扉４１の空きスペースや側面等に、ネジ止め、両面テープ、磁石等を用いて設置することもできる。
【００４２】
次に、図３、図４を参照して、本実施形態の募金装置１０の構成と機能を説明する。募金装置１０は、募金装置の制御部としての募金制御部１１、接続部２０、表示部２１、音声出力部２２、募金額選択部２３、募金先選択部２４、募金確認部２５、領収書発行部２６、通信部２７、リモコン２８を備える。
【００４３】
募金制御部１１は、ＣＰＵ及び制御プログラム等から実現されるもので、募金装置１０の動作に必要な各種処理を単独で、又は接続された他の機器と協働して行う。また、募金制御部１１は、さらにその内部に金銭処理部１２、集計部１３、メモリ１４等を備える。
【００４４】
金銭処理部１２は、貨幣選別部６０に募金額選択部２３で設定されている金額以上の貨幣が投入されたとき募金額選択部２３を操作可能とし、募金額選択部２３が操作されたとき操作された募金額選択部２３に対応した金額を募金額として貨幣選別部６０に徴収させる。
【００４５】
集計部１３は、募金先毎の募金額を集計し、メモリ１４と協働して記憶する。また、メモリ１４は、半導体記憶装置等からなり、制御プログラム、各種設定された募金額等、音声出力用データ、募金装置１０の動作に必要な一時的なその他のデータを記憶する。
【００４６】
接続部２０は、図４（Ａ）（Ｂ）にも示すように、募金制御部１１と電気配線で接続された、メス形接点を有するコネクタＣ１と、オス形接点を有するコネクタＣ２とを備える。そして、コネクタＣ１が貨幣選別部６０と電気配線で接続されたオス形接点を有するコネクタＣ３と接続され、さらに、コネクタＣ２が自動販売機４０の販売制御部５１と電気配線で接続されたメス形接点を有するメス形コネクタＣ４と接続される。このように、接続部２０は貨幣選別部６０を募金装置１０と自動販売機４０とで共有させる機能を有する。なお、オス形接点とメス形接点が入れ替わっても接続部２０の機能に何ら問題はない。また、コネクタＣ３及びＣ４は、自動販売機４０に元々設けられていたものであり、本実施形態の募金装置１０が装着されていないときは、コネクタＣ３とコネクタＣ４が接続される。
【００４７】
接続させる方法としては、図４（Ａ）に示すように、貨幣選別部６０からのコネクタＣ３を、募金制御部１１からのコネクタＣ１に接続した上で、コネクタＣ１側で電気配線を並列に分岐させたコネクタＣ２を設け、コネクタＣ２と販売制御部５１からのコネクタＣ４を接続し、貨幣選別部６０に募金制御部１１と販売制御部５１とを並列に接続させる方法がある。
【００４８】
また、他の方法として、図４（Ｂ）に示すように、予め、募金制御部１１内にＣＰＵと制御プログラム等で擬似的な販売制御部である架空販売制御部５１ａと、擬似的な貨幣選別部である架空貨幣選別部６０ａを構成しておく。そして、貨幣選別部６０からのコネクタＣ３を、コネクタＣ１を介して架空販売制御部５１ａに接続する。さらに、販売制御部５１からのコネクタＣ４を、コネクタＣ２を介して架空貨幣選別部６０ａに接続する方法がある。
【００４９】
後者の方法の場合、架空販売制御部５１ａは販売制御部５１と同様の電気信号の送受信を行い、架空貨幣選別部６０ａは貨幣選別部６０と同様の電気信号の送受信を行うものである。例えば、貨幣選別部６０に５００円が投入されると、架空販売制御部５１ａが貨幣選別部６０からの信号を受信する。そして、架空貨幣選別部６０ａから販売制御部５１に５００円が投入された旨の信号が送信され、自動販売機４０での商品の販売が可能となる。また、係る状態で、１２０円の商品が販売された場合、販売制御部５１から架空貨幣選別部６０ａに対して１２０円を徴収する旨の信号が送信される。すると、架空販売制御部５１ａは、貨幣選別部６０に対して１２０円を徴収する旨の信号を送信する。さらに、この場合、３８０円の釣銭が発生するため、該釣銭情報が架空販売制御部５１ａ、架空貨幣選別部６０ａを介して販売制御部５１に送信される。なお、架空販売制御部５１ａ及び架空貨幣選別部６０ａは、募金制御部１１内の金銭処理部１２や集計部１３、メモリ１４等とも、必要に応じて信号の送受信をしていることはいうまでもない。
【００５０】
表示部２１は、複数の７セグメントＬＥＤディスプレイを備え、貨幣選別部６０に投入された金額や募金額選択部２３により選択された募金額等を表示させることができる。また、表示部２１として、液晶ディスプレイ、有機ＥＬディスプレイ等、他の表示デバイスを採用することもできる。表示部２１に、液晶ディスプレー等を採用したときは、例えば、募金を呼びかける広告コンテンツを表示させることもできる。
【００５１】
音声出力部２２は、スピーカ２２ａを備え、募金を呼びかける音声メッセージを流すことや、募金装置１０の操作方法を説明すること、及び募金された後のお礼メッセージを発すること等をすることができる。
【００５２】
募金額選択部２３は、それぞれ異なる金額が設定された複数の募金額選択ボタン２３ａを備える。それぞれの金額は、例えば、１０円、１００円、全額というように設定され、１０円及び１００円ボタンは複数回操作されることで、設定金額に操作回数を乗じた募金額が選択される。また、全額ボタンが操作されたときは、貨幣選別部６０に投入された貨幣、又は釣銭の全てが募金額として選択される。
【００５３】
募金先選択部２４は、それぞれ異なる募金先に設定された複数の募金先選択ボタン２４ａを備える。募金者は、任意の募金先選択ボタン２４ａを操作することにより、希望する募金先に募金をすることができる。なお、複数の募金先選択ボタン２４ａが操作された場合、最後に操作された募金先選択ボタン２４ａのみが有効となる。
【００５４】
募金確認部２５は、決定ボタン２５ａとキャンセルボタン２５ｂとを備え、募金額選択部２３と募金先選択部２４とで募金額と募金先が選択された後、募金を本当にしてもよいかの確認をすることができる。募金者が、募金をしてもよいと判断したときは、決定ボタン２５ａを操作することで選択された募金額が貨幣選別部６０により徴収される。一方、募金を取りやめたいと考えたときは、キャンセルボタン２５ｂを操作することで、これまでの操作により選択された募金額と募金先がキャンセルされる。
【００５５】
領収書発行部２６は、ロール紙収納部、プリンタ、カッター、領収書発行ボタン２６ａを備え、募金がなされた前後に、募金者が領収書発行ボタン２６ａを操作することにより、募金をした証明として領収書を発行する。なお、このとき、音声出力部２２等で領収書の発行の案内をすることもできる。
【００５６】
通信部２７は、赤外線送受信機を備え、集計部１３によって募金先毎に募金された募金額のデータを、自動販売機４０の自販機管理者が操作する携帯端末等に送信することができる。また、赤外線送受信機に限られず、無線ＬＡＮや有線による接続であってもよい。
【００５７】
リモコン２８は、募金選択部の金額設定、募金先の設定等に使用される。なお、設定を変更するとき以外は必須の構成ではなく、募金装置１０の装着スペースを節約するため、通常は取り外しておくこともできる。
【００５８】
［第２実施形態］
次に、本発明の他の実施形態に係る募金装置を説明する。図５は、本実施形態の募金装置を示す図である。なお、上述の第１実施形態と同様の箇所は、図面に同じ符号を付して説明を省略する。
【００５９】
図５に示すように、募金装置３０は、筐体３１、操作パネル３２、募金額等を表示する表示部２１、音声データ等を出力する音声出力部としてのスピーカ２２ａ、募金額を選択する募金額選択部としての募金額選択ボタン２３ａ、募金先を選択する募金先選択部としての募金先選択ボタン２４ａ、募金するか否かを最終的に確認する募金確認部としての決定ボタン２５ａ及びキャンセルボタン２５ｂ、募金額先毎の募金額等を自動販売機の自販機管理者等が操作する携帯端末と送受信する通信部２７を備える。
【００６０】
筐体３１は、自動販売機４０の前面扉４１裏側において、貨幣選別部６０が設置されるスペースに着脱可能な寸法となっている。貨幣選別部６０は、既に述べたように、硬貨選別部６１、及び紙幣選別部６２を備えるが、これらの機構が設置されるスペースは規格により定められており、略全ての自動販売機でその寸法が共通する。また、近年の電子マネーの普及により、ＩＣカードリーダライタ用の設置スペースを予備で設ける自動販売機が増加しており、そのような自動販売機４０には、前面扉４１にＩＣカードをかざす送受信部を設置するための穴が設けられ、通常は該穴を塞ぐための盲蓋６４がなされる（図１参照。）。また、盲蓋６４の裏側には、紙幣選別部６２用の設置スペースと同じ寸法の設置スペースが設けられている。本実施形態の募金装置３０は、既に取付けられている紙幣選別部６２を取り外した後の設置スペースに取付けるか、上記のＩＣカードリーダライタ用の設置スペースに取付けるものである。
【００６１】
また、筐体３１の上下にはそれぞれ、平板がその面を筐体３１の前面と平行にして上下方向に突出された取付け部３３と、取付け部３３の一部を切り欠いて構成された取り付け穴３４が設けられる。これらの取付け部３３及び取り付け穴３４を用いて、紙幣選別部６２、又はＩＣカードリーダライタ用の設置スペースに募金装置３０が取付けられる。そのとき、自動販売機４０の盲蓋６４は取り外され、盲蓋６４が外された後に形成される穴には、募金装置３０の操作パネル３２が、自動販売機４０の前面扉４１の裏側から装着される。そして、募金者は、自動販売機４０の前面から、募金額選択ボタン２３ａ、募金先選択ボタン２４ａ等を操作することができる。
【００６２】
なお、本実施形態の募金装置３０には、上述の第１実施形態で説明した領収書発行部２６が備えられていないが、募金額選択ボタン２３ａ、募金先選択ボタン２４ａ等の数や大きさ、及び配置を変更することにより、操作パネル３２に領収書発行ボタンと発行口を設け、さらに、筐体３１内にプリンタを設置することができる。このとき、筐体３１内の設置スペースが不足するならば、募金制御部１１等を筐体３１の外に設けることもできる。また、リモコン２８は、通常は取り外されており、必要なときのみ接続される。
【００６３】
次に、上述した各構成要素の機能を踏まえて、本発明に係る募金装置１０，３０の動作について、図６、図７を参照して説明する。図６は募金装置１０，３０が装着される自動販売機４０の動作を示すフロー図、図７は募金装置１０，３０の動作を示すフロー図である。なお、以下の動作フローの説明において、販売制御部５１及び貨幣選別部６０との信号の送受信は、架空販売逝去部５１ａ及び架空貨幣選別部６０ａを介して行う場合も含めるものとする。
【００６４】
先ず、図６を参照して、本実施形態の募金装置１０，３０が装着される自動販売機４０の通常の商品が販売される動作フローについて説明する。自動販売機４０の販売制御部５１は、自動販売機４０の電源が入れられると、制御プログラムを開始する（Ｓ１０００）。そして、制御プログラムに基づき、販売制御部５１は、接続された各部を制御し動作させる。なお、この制御プログラムは、所定時間毎に繰り返し実行される。
【００６５】
ステップＳ１０００で、制御プログラムが実行されると、貨幣選別部６０に貨幣が投入されているか否かが判断される（Ｓ１０１０）。貨幣が投入されていなければ制御プログラムは終了される（Ｓ１１２０）。一方、貨幣が投入されていれば、投入されている金額を金額表示部７１に表示させる（Ｓ１０２０）。
【００６６】
次に、投入されている金額が商品の金額以上か否かが判断される（Ｓ１０３０）。投入されている金額が商品の価格に満たなければ、投入された貨幣の返却レバー６３ａが操作されたか否かを判断する（Ｓ１０４０）。返却レバー６３ａが操作されていれば、貨幣選別部６０に投入されている貨幣の返金処理を行い（Ｓ１１１０）、制御プログラムは終了する（Ｓ１１２０）。一方、返却レバー６３ａが操作されていなければ、ステップＳ１０１０に戻り、貨幣選別部６０に追加の貨幣が投入されるのを監視する。また、ステップＳ１０３０で、投入されている金額が商品の価格以上であるときは、商品選択ボタン７２ａが操作可能であることを知らせるために、商品選択ボタン７２ａを点灯させる（Ｓ１０５０）。
【００６７】
次に、商品選択ボタン７２ａが操作されたか否かが判断される（Ｓ１０６０）。商品選択ボタン７２ａが操作されていなければ、ステップＳ１０４０へ進み、前述の通りの処理を繰り返す。一方、商品選択ボタン７２ａが操作されると、搬出ユニット７５が動作し、該当する商品が搬出口４６に搬出される（Ｓ１０７０）。そして、貨幣選別部６０は、商品価格分の金額を徴収する（Ｓ１０８０）。
【００６８】
次に、釣銭が有るか否かが判断される（Ｓ１０９０）。釣銭が無ければ、制御プログラムは終了される（Ｓ１１２０）。一方、釣銭が有るとき、該釣銭は貨幣選別部６０に投入された貨幣として計上される（Ｓ１１００）。次にステップＳ１０４０で返却レバー６３ａが操作されたか否かが判断され、既に述べた通りの処理が実行される。
【００６９】
次に、図７を参照して、本実施形態の募金装置１０，３０の動作フローについて説明する。募金装置１０，３０が装着された自動販売機４０に電源が供給されると、自動販売機４０のサービスコンセントや募金装置１０，３０の接続部２０等を介して募金装置１０，３０に電源が供給され、募金装置１０，３０の募金制御部１１は制御プログラムを開始する（Ｓ１００）。そして、制御プログラムに基づき、募金制御部１１は、接続された他の機器を制御し動作させる。なお、この制御プログラムは、自動販売機４０の制御プログラム同様、所定時間毎に繰り返し実行される。また、ここでは説明を省略しているが、各ステップでスピーカ２２ａから音声案内を出力させ、募金者の操作を助けることもできる。
【００７０】
ステップＳ１００で、制御プログラムが実行されると、貨幣選別部６０に貨幣が投入されているか否かが判断される（Ｓ１１０）。貨幣が投入されていなければ制御プログラムは終了される（Ｓ２６０）。一方、貨幣が投入されていれば、投入されている金額以下の募金額選択ボタン２３ａ、すなわち操作可能な募金額選択ボタン２３ａが点灯され、募金者に募金可能であることを知らせる（Ｓ１２０）。ここで、本実施形態の募金装置１０，３０では、募金額選択ボタン２３ａとして１０円ボタン、１００円ボタン、全額ボタンを備えている。このため、例えば、貨幣選別部６０に５０円が投入されたときは、１０円ボタンと全額ボタンが点灯され、１００円が投入されたときは、全てのボタンが操作可能として点灯される。
【００７１】
次に、ステップＳ１２０にて点灯された募金額選択ボタン２３ａが、操作されたか否かが判断される（Ｓ１３０）。募金額選択ボタン２３ａが操作されていなければ、ステップＳ１１０に戻り、貨幣選別部６０に追加の貨幣が投入されるのを監視する。一方、募金額選択ボタン２３ａが操作されたとき、操作された募金額選択ボタン２３ａに対応する金額、すなわち選択された金額が表示部に表示される（Ｓ１４０）。
【００７２】
このとき、例えば、募金者が３００円を貨幣選別部６０に投入し、２３０円の募金をしたいと考えたとき、募金者が百円ボタンを２回、１０円ボタンを３回操作することにより２３０円が選択される。また、貨幣選別部６０に投入された金額全てを選択したいときは、全額ボタンを操作することにより、全額が選択される。さらに、自動販売機４０で商品を購入した後、３８０円の釣銭があり、その３８０円の釣銭が貨幣選別部６０に投入された状態となっているとき（図６のステップＳ１１００、ステップＳ１０４０を経てステップＳ１０１０のとき。）、募金者が１０円ボタン、１００円ボタン、全額ボタンのうち任意のボタンを操作することで、釣銭の中から所望の金額が選択される。
【００７３】
次に、貨幣選別部６０に投入されている金額から、ステップＳ１４０で表示された金額を減算し、減算された金額以下の募金額選択ボタン２３ａ、すなわち操作可能な募金額選択ボタン２３ａが点灯される（Ｓ１５０）。この点灯される募金額選択ボタン２３ａの詳細は上述のステップＳ１２０と同様である。
【００７４】
次に、募金先選択ボタン２４ａが操作されたか否かが判断される（Ｓ１６０）。募金先選択ボタン２４ａが操作されなければ、キャンセルボタン２５ｂが操作されたか否かが判断され（Ｓ１７０）、キャンセルボタン２５ｂが操作されなければ、ステップＳ１１０に戻り、貨幣選別部６０に追加の貨幣が投入されるのを監視する。一方、キャンセルボタン２５ｂが操作されたとき、後述するステップＳ２１０の処理がなされる。
【００７５】
また、募金先選択ボタン２４ａが操作されたとき、操作された募金先選択ボタン２４ａが選択されたと判断され、当該募金先選択ボタン２４ａが点灯される（Ｓ１８０）。なお、本実施形態の募金装置１０，３０では、募金先選択ボタン２４ａとして、募金先Ａ、募金先Ｂ、募金先Ｃの３つが備えられ、このうちのいずれか一つを選択することができる。また、一つの募金先選択ボタン２４ａを操作した後に、他の募金先選択ボタン２４ａが操作されると、先に操作された募金先選択ボタン２４ａは選択が解除され、後から操作された募金先選択ボタン２４ａが選択される。
【００７６】
次に、決定ボタン２５ａが操作されたか否かが判断される（Ｓ１９０）。決定ボタン２５ａが操作されないときは、ステップＳ１７０で、キャンセルボタン２５ｂが操作されたか否かが判断され、既に述べた通りの処理が実行される。一方、決定ボタン２５ａが操作されたときは、ステップＳ１３０で選択された金額を、募金額として貨幣選別部６０に徴収させるとともに、ステップＳ１６０で選択された募金先毎に、募金額を集計部に記憶させる（Ｓ２００）。
【００７７】
次に、表示部に表示された金額の消去、及び募金先選択ボタン２４ａの消灯がなされる（Ｓ２１０）。なお、このステップＳ２１０は、上述のステップＳ１７０から続く処理でもある。また、ステップＳ１６０からステップＳ１７０を経ているときは、まだ募金先選択ボタン２４ａは点灯されていないため、実際の動作としては、表示部に表示された金額の消去のみが実行される。
【００７８】
次に、領収書発行ボタン２６ａが操作されているか否かが判断される（Ｓ２２０）。領収書発行ボタン２６ａが操作されているときは、募金装置１０に内蔵されているプリンタにより印字がなされ、領収書の発行口２６ｂより領収書の発行がなされる（Ｓ２３０）。一方、領収書発行ボタン２６ａが操作されていないときは、ステップＳ２３０はスキップされる。なお、領収書発行ボタン２６ａには自己保持回路等による記憶の手段を設けることもでき、そのようにした場合では制御プログラムが実行されているときならば、いつ領収書発行ボタン２６ａが操作されてもよい。また、この場合、領収書発行ボタン２６ａが操作された記憶の解除は、領収書の発行によりなされる。なお、領収書発行部２６を備えない構成のときは、ステップＳ２２０及びステップＳ２３０は省略される。
【００７９】
次に、釣銭が有るか否かが判断される（Ｓ２４０）。釣銭が無いとき、制御プログラムは終了される（Ｓ２６０）。一方、釣銭があるとき、釣銭は貨幣選別部６０に投入された金額として計上され（Ｓ２５０）、ステップＳ１１０に戻り、貨幣選別部６０に追加の貨幣が投入されるのを監視する。すなわち、募金制御部１１で実行される制御プログラムは、自動販売機４０の返却レバー６３ａが操作され返金処理がなされる（図６のステップＳ１０４０からステップＳ１１１０の処理。）か、釣銭が無くなるかして、貨幣選別部６０に貨幣が投入されていない状態になることで終了される。
【００８０】
以上述べたように、本発明の実施形態に係る募金装置によれば、既存の自動販売機の広告スペース又は貨幣選別部の設置スペースを利用して装着されるとともに、既存の自動販売機の制御部と貨幣選別部にコネクタを介して接続し、貨幣選別部を既存の自動販売機と共有するため、装着スペースを少なくすることができ、募金装置の着脱も簡単に行うことができる。特に、募金装置を貨幣選別部の設置スペースに設置するよう構成したとき、該設置スペースの寸法等の規格は略全ての自動販売機で共通のため、募金装置においても規格の統一が図れるとともに募金装置の着脱がより容易となる。これらにより、イベント時等のように人が多数集まるときのみ募金装置を装着したり、募金の実績が伴わない箇所からの募金装置を撤去したりすることができ、自動販売機を交換することなく、募金装置の柔軟な運用をすることができる。
【００８１】
また、募金先毎の募金額を集計し記憶するため、既存の自動販売機と貨幣選別部を共有していても、貨幣選別部に徴収された貨幣のうち募金分の金額が明確となり、集金作業が容易となる。また、募金額選択ボタンに、貨幣選別部に投入された貨幣を一括して選択できる全額ボタンを設けているため、例えば、釣銭が８０円のときに釣銭全額を募金しようとするとき、１０円ボタンを８回操作する必要がなくなり、募金者が手間無く募金を行うことができる。
【００８２】
また、領収書発行部により領収書が発行されるため、千円単位の比較的高額の募金がなされる可能性が高くなる。特に、自動販売機の設置主体が、国税庁に認定された認定ＮＰＯ法人等である場合、領収書が発行されることにより、所得控除を受けることができるようになり、より高額の募金が期待できる。
【００８３】
なお、上述した実施形態は、本発明に係る募金装置の例示であり、発明の趣旨を逸脱しない範囲において、その構成を適宜変更できる。
【符号の説明】
【００８４】
１０，３０・・募金装置、１２・・金銭処理部、１３・・集計部、２０・・接続部、２１ａ・・７セグメントＬＥＤディスプレイ（募金装置）、２２ａ・・スピーカ、２３・・募金額選択部、２３ａ・・募金額選択ボタン、２４・・募金先選択部、２４ａ・・募金先選択ボタン、２５ａ・・決定ボタン、２５ｂ・・キャンセルボタン、２６・・領収書発行部、２６ａ・・領収書発行ボタン、２６ｂ・・発行口、２７ａ・・赤外線送受信機（募金装置）、３１・・筐体、３２・・操作パネル、３３・・取付け部、３４・・取り付け穴、
４０・・自動販売機、４１・・前面扉、４２・・広告スペース、４３・・商品展示室、４４・・商品見本、４５・・価格表示、４６・・搬出口、５１・・販売制御部、５１ａ・・架空販売制御部、６０・・貨幣選別部、６０ａ・・架空貨幣選別部、６１ａ・・硬貨入金口、６２ａ・・紙幣入金口、６３ａ・・返却レバー、６３ｂ・・返金口、６４・・盲蓋、７１ａ・・７セグメントＬＥＤディスプレイ（自動販売機）、７２ａ・・商品選択ボタン、７６ａ・・赤外線送受信機（自動販売機）
【図１】
2015005073.tif 000003
【図２】
2015005073.tif 000004
【図３】
2015005073.tif 000005
【図４】
2015005073.tif 000006
【図５】
2015005073.tif 000007
【図６】
2015005073.tif 000008
【図７】
2015005073.tif 000009